(57)【要約】【課題】除雪車毎の位置、作業状況を収集し、除雪状況を一般ユーザの情報端末に配信し、除雪状況を簡単に把握可能にすること。【解決手段】  除雪車に搭載された車載装置と、この車載装置から除雪作業状況を受信する管理装置とから成り、前記車載装置が、ＧＰＳ衛星電波によって除雪車の現在位置を検出する第１の手段と、除雪作業状況の情報と前記第１の手段が検出した現在位置の情報を前記管理装置に送信する第２の手段とを備え、  前記管理装置が、道路地図情報を格納した地図データベースと、車載装置から受信した除雪車の現在位置情報と除雪作業状況の情報に基づき、除雪作業の進行状況を示す情報を道路地図上に記録する第３の手段と、ネットワークを介した除雪作業進行状況の問い合わせ要求に対し、除雪作業の進行状況を示す情報を含む道路地図を問い合わせ元の情報端末に送信する第４の手段とを備える。【選択図】図１
2007114917.tif 000002
【特許請求の範囲】
【請求項１】
除雪車に搭載された車載装置と、この車載装置から除雪作業状況を受信して管理する管理装置とから成る除雪作業管理システムであって、
前記車載装置が、
ＧＰＳ衛星電波によって除雪車の現在位置を検出する第１の手段と、除雪車の搭乗者によって入力された除雪作業状況の情報と前記第１の手段が検出した現在位置の情報を前記管理装置に送信する第２の手段とを備え、
前記管理装置が、
道路地図情報を格納した地図データベースと、前記車載装置から受信した除雪車の現在位置情報と除雪作業状況の情報に基づき、除雪作業の進行状況を示す情報を道路地図上に記録する第３の手段と、ネットワークを介した除雪作業進行状況の問い合わせ要求に対し、除雪作業の進行状況を示す情報を含む道路地図を問い合わせ元の情報端末に送信する第４の手段とを備えることを特徴とする除雪作業管理システム。
【発明の詳細な説明】
【技術分野】
【０００１】
本発明は、除雪車から除雪車毎の除雪作業状況および車両位置を収集し、除雪作業状況に関する情報を道路地図上にマッピングしてインターネットを介して一般ユーザの情報端末に配信するようにした除雪作業管理システムに関するものである。
【背景技術】
【０００２】
従来において、除雪車の管理に関するシステムとして、下記の特許文献１に開示されたものがある。
【特許文献１】特開平９−１０６４９７号公報
【０００３】
図４は、上記特許文献１に開示された除雪車管理システムの概要を示すブロック図であり、除雪車両毎の作業状況の収集および作業内容を指示するセンター４１、道路に等間隔に設置されセンター４１と電話回線４２で接続され無線４４で接続された除雪車４５との情報通信の仲介をするサインポスト４３、サインポスト４３と無線４４で作業状況および作業指示の情報通信を行う除雪車両４５とから構成され、各車両の作業状況の収集、作業内容の指示、サインポストの位置から車両現在位置の特定を行っている。
このような除雪車管理システムにおいては、サインポスト４３は無線４を介して除雪車の作業状況を収集し、センター４１に電話回線４２を介して作業状況を伝送する。このとき、除雪車の位置を特定するために通信を行ったサインポストの位置が使用される。
センター４１は受信した除雪車毎の作業内容を収集し作業業況に応じて作業指示をサインポスト４３に電話回線４２を介して伝送する。
作業指示を受信したサインポスト４３は無線４を介して除雪車４５に作業指示を伝送する。作業指示を受信した除雪車４５は作業内容を把握し作業を実行する。ここで、除雪車との通信手段には携帯電話機、車両位置の特定にＧＰＳを使用するものもある。
【発明の開示】
【発明が解決しようとする課題】
【０００４】
除雪車の除雪作業は道路上の雪を道路脇へ集めるものが大半であり、積もった雪を雪捨て場に運ぶ排雪作業は頻繁には行われない。住宅街においては各住宅前に集められるもので排雪は各住人に任されているのが現状である。
また、降雪後の除雪車作業は市町村および作業者の決定に任されており、日程などは一般には公開されていない。
このため、降雪後に各住人が住宅前を数時間かけて排雪した後に除雪車の除雪作業により住宅前に雪を積み上げられ、再度各住人が数時間かけて排雪することが頻繁に発生する。また、排雪作業中に除雪車の除雪作業が始まり、除雪車との事故に巻き込まれることもある。
さらに、除雪車は道路を占有し、低速走行による除雪作業を行うため、除雪作業中の道路に侵入した場合に交通渋滞の原因になることもなる。また、除雪状況の未把握により未除雪道路へ侵入してしまい交通渋滞または交通事故の原因になることもなる。
【０００５】
本発明の目的は、除雪車毎の位置、作業状況を収集し、除雪状況を一般ユーザの情報端末にに配信し、除雪状況を簡単に把握可能にし、事故の未然防止、住民自身の手作業による除雪作業が無駄にならないようにすることができる除雪作業管理システムを提供することにある。
【課題を解決するための手段】
【０００６】
上記目的を達成するために、本発明の除雪作業管理システムは、除雪車に搭載された車載装置と、この車載装置から除雪作業状況を受信して管理する管理装置とから成る除雪作業管理システムであって、
前記車載装置が、
ＧＰＳ衛星電波によって除雪車の現在位置を検出する第１の手段と、除雪車の搭乗者によって入力された除雪作業状況の情報と前記第１の手段が検出した現在位置の情報を前記管理装置に送信する第２の手段とを備え、
前記管理装置が、
道路地図情報を格納した地図データベースと、前記車載装置から受信した除雪車の現在位置情報と除雪作業状況の情報に基づき、除雪作業の進行状況を示す情報を道路地図上に記録する第３の手段と、ネットワークを介した除雪作業進行状況の問い合わせ要求に対し、除雪作業の進行状況を示す情報を含む道路地図を問い合わせ元の情報端末に送信する第４の手段とを備えることを特徴とする除雪作業管理システム。
【発明の効果】
【０００７】
本発明の除雪作業管理システムによれば、次のような効果がある。
（１）インターネット利用者にあっては、除雪作業の進捗状況をパーソナルコンピュータや携帯電話機、カーナビゲーション装置等の情報端末により極めて簡単に把握することができ、自宅周辺の排雪作業は除雪車による除雪作業が終了した段階で行うように計画を立てることができ、手作業による重複した排雪作業にかかる労力を軽減することができるうえ、除雪車との接触事故などが発生するのを防止することができる。
【発明を実施するための最良の形態】
【０００８】
以下、本発明を適用した除雪作業管理システムの一実施の形態について説明する。
図１は、本発明の実施の形態の一例を示すシステム構成図であり、地図データベース１を備えたホストシステム２と、このホストシステム２から除雪作業指示の受信、ホストシステム２へ除雪作業状況を送信する複数の除雪車３ａ，３ｂ，３ｎとから構成され、この除雪車３ａ，３ｂ，３ｎは無線回線によって基地局４と接続されている。
基地局４は有線の公衆回線網によるネットワーク５と接続され、このネットワーク５にホストシステム２が接続されている。
従って、除雪車３ａ，３ｂ，３ｎとホストシステム２とは、基地局４に至る無線回線およびネットワーク５を通じてホストシステム２に接続されていることになる。
【０００９】
基地局４は、除雪車３ａ，３ｂ，３ｎの無線送受信手段として、例えば携帯電話機を利用した場合は、移動電話事業者の基地局に相当する。
ホストシステム２には、地図データベース１の他に、配信サービス契約者一覧データベース８と除雪作業状況情報データベース１４を備えている。
ホストシステム２の地図データベース１には、例えば管轄市町村の道路地図を示す地図データが登録されている。
【００１０】
ホストシステム２は、地図データベース１及び除雪作業状況情報データベース１４の更新処理を行うＤＢ更新部９、主にインターネット利用者７の情報端末（パーソナルコンピュータ、携帯電話機、カーナビゲーション装置など）からの地図データの要求に対して、地図データベースへの検索処理を行う検索処理部１０、除雪車３等との送受信を行う送受信部１１、配信サービス契約者６の情報端末に除雪作業状況を配信する配信部１２、インターネット利用者７の情報端末に除雪作業状況を付加した道路地図情報を提供するインターネットサーバ部１３を備えている。
ネットワーク５には、配信サービス契約者６やインターネット利用者７の情報端末が接続されている。
【００１１】
除雪車３ａ，３ｂ，３ｎには、基地局４及び公衆回線網５を介してホストシステム２と情報を送受信する車載装置３１が搭載されている。
この車載装置３１は、現在位置をＧＰＳ衛星電波を受信して検出するＧＰＳ受信機３２、作業状況を入力する作業状況入力装置３３、搭乗者によって入力された作業状況の情報及びＧＰＳ受信機３２が検出した現在位置をホストシステム２に送信すると共に、ホストシステム２からの作業指示を受信する送受信機３４、ホストシステム２からの作業指示を表示画面またはスピーカに出力する出力装置３５から構成されている。
除雪車のそれぞれがホストシステム２宛に送信する作業状況情報は、図２に示すように、車両識別２１、作業状況２２、緯度、経度２３、送信日時２４から構成され、除雪車毎に送信日時順に保存される。このうち、作業状況２２の内容は移動中、作業中、作業終了のいずれかが除雪車の搭乗者によって作業状況入力装置３３から入力され、現在位置の情報と共に所定時間間隔で送信される。
【００１２】
図３は、それぞれの除雪車から受信した作業状況情報を除雪作業状況情報データベース１４の保存した状態の一例を示す図である。
車両識別３０１、作業状況３０２、緯度・経度３０３、送信日時３０４は、それぞれ図２の車両識別２１、作業状況２２、緯度・経度２３、送信日時２４に該当する。作業状況２２が移動中で送信された場合、送受信部１１は以前の移動中の情報は削除し、最新の情報を保存し除雪車の現在位置とする。
作業状況２２が作業中で送信された場合、送受信部１１は作業中で送信された情報を保存し、直前の保存情報が作業中であればＤＢ更新部９に対しＤＢ更新を要求する。
ＤＢ更新部９は保存情報内の最新の作業中情報と直前の作業中情報を検索し、それぞれの緯度、経度３４を頂点に線分データを生成し、地図データベース１の道路地図に折線データを追加更新する。折線データとは、除雪作業が終了した地点の緯度・経度の情報を線分で接続したものである。
作業状況２２が作業終了で送信された場合、送受信部１１は最終情報として保存し、以降作業状況２２が変更されて送信されるまで受信した情報は破棄する。
【００１３】
配信サービス契約者６の情報端末から情報配信要求を受信した送受信部１１は、配信部１２に図３の作業状況保存情報の配信を要求する。配信部１２は配信要求元の配信サービス契約者６の情報端末に対し図３の作業状況情報を折線データで示した道路地図を地図データベース１から検索して配信する。
【００１４】
インターネット利用者７の情報端末からホストシステム２のホームページ参照要求を受信したインターネットサーバ部１３は、初期表示位置を中心に初期縮尺領域の地図データを地図データベース１から参照するため検索処理部１０に地図データベース１の検索を要求する。
検索処理部１０は、図３の作業状況情報を折線データで示した道路地図を地図データベース１で検索し、インターネットサーバ部１３に渡し、インターネットサーバ部１３は検索結果をインターネット利用者７の情報端末に送信し、ホームページ上に表示する。
なお、カーナビゲーション装置においては、道路地図データを保持しているため、除雪作業が終了した地点の緯度・経度の情報のみを送信し、その情報によってカーナビゲーション装置自身で道路地図上に除雪作業が終了した位置をマッピングさせて表示させるようにすることができる。
【００１５】
以上のように、本実施の形態の除雪作業管理システムによれば、次のような効果がある。
（１）除雪作業状況を基に地図データベースをリアルタイムに更新することによって、常に最新の除雪状況等を地図データでインターネット利用者に提供することができる。
（２）インターネット利用者は提供を受けた除雪状況等を基に自宅周辺の排雪作業のスケジューリングがし易くなり、除雪車との事故も未然に防止できる。
（３）配信サービス契約者に作業した座標を含む作業状況情報を配信することで、配信を受けた契約者が道路交通情報として提供することが可能となる。この道路交通情報は、一般のカーナビゲーションに表示することができるため、交通渋滞の緩和または交通事故防止となりえる。
【図面の簡単な説明】
【００１６】
【図１】本発明の一実施の形態例を示すシステム構成図である。
【図２】除雪車から送信される作業状況情報の構成図である。
【図３】作業状況情報の保存後の構成図である。
【図４】従来における除雪管理システムの構成図である。
【符号の説明】
【００１７】
１…地図データベース、２…ホストシステム、３ａ，３ｂ，３ｎ…除雪車、４…基地局、５…ネットワーク、６…配信サービス契約者、７…インターネット利用者、８…配信サービス契約者一覧データベース、９…ＤＢ更新部、１０…検索処理部、１１…送受信部、１２…配信部、１３…インターネットサーバ部。
【図１】
2007114917.tif 000003
【図２】
2007114917.tif 000004
【図３】
2007114917.tif 000005
【図４】
2007114917.tif 000006